(57)【要約】  ＥＬ表示装置はアナログモード及びデジタルモードで動作可能である。アナログモードにおいては、画素に供給されるデータ信号に依存して電流がＥＬ表示素子に供給され、デジタルモードにおいては、画素に供給されるデータ信号に依存して２つの電圧の１つがＥＬ表示素子において供給される。このことは、表示が、デジタル駆動スキームを実施する低電力のスタンバイモードを有することを可能にする。このことは、特に、静止画像であって、好適には、会長を伴わない画像に対して適切である。第１モードは標準的な電流アドレシングモードである。
2005510768.tif 000002
【特許請求の範囲】
【請求項１】
エレクトロルミネセンス（ＥＬ）表示装置であって：
各々の表示画素がＥＬ表示素子と駆動回路とを有する表示画素のアレイ；
を有し、
各々の画素は第１モードおよび第２モードにおいて動作可能であり；
前記第１モードにおいて、前記画素に供給されるデータ信号に依存して前記駆動回路により前記ＥＬ表示素子にアナログ電流が供給され、前記第２モードにおいて、前記画素に供給される前記データ信号に依存して前記駆動回路により前記ＥＬ表示素子に亘って２つの電圧の１つが供給される；
ことを特徴とするＥＬ表示装置。
【請求項２】
請求項１に記載のＥＬ表示装置であって、前記駆動回路は前記ＥＬ表示素子に電流を供給するための電流源部を有し、前記第１モードにおいて、前記電流源部は第１電圧を供給され且つ前記ＥＬ表示素子に前記アナログ電流を供給し、前記第２モードにおいて、前記電流源部は第２電圧を供給され且つ２つの状態の１つに前記ＥＬ表示素子を駆動する、ことを特徴とするＥＬ表示装置。
【請求項３】
請求項１または２に記載のＥＬ表示装置であって、各々の駆動回路の前記電流源部は供給電圧ラインと前記ＥＬ素子との間に接続され、前記トランジスタの前記ゲート電圧は前記第２モードの動作において前記供給で夏ラインにより供給される、ことを特徴とするＥＬ表示装置。
【請求項４】
請求項３に記載のＥＬ表示装置であって、第１電圧は前記第１モードの動作において前記供給電圧ラインにより供給され、第２電圧は前記第２モードの動作において前記供給電圧ラインにより供給される、ことを特徴とするＥＬ表示装置。
【請求項５】
請求項４に記載のＥＬ表示装置であって、前記第１電圧及び前記第１モードにおける前記データ信号の水準の範囲は、前記トランジスタが前記線形領域で動作可能であるように、選択され、前記電流源により供給される前記電流は前記データ信号の関数である、ことを特徴とするＥＬ表示装置。
【請求項６】
請求項４または５に記載のＥＬ表示装置であって、前記第２電圧と前記第２モードにおける前記データ信号水準は、前記トランジスタが完全にオンまたは完全にオフになるように、選択され、前記第２電圧に依存して固定電圧が前記ＥＬ素子に供給されまたは前記ＥＬ素子から分離される、ことを特徴とするＥＬ表示装置。
【請求項７】
請求項３乃至６のいずれかに記載のＥＬ表示装置であって、各々の画素は信号電圧供給ライを有し、スイッチング手段は前記電圧供給ラインにおける前記電圧を選択するために供給される、ことを特徴とするＥＬ表示装置。
【請求項８】
請求項３乃至６のいずれかに記載のＥＬ表示装置であって、各々の画素は２つの電圧供給ラインを有し、モードスイッチング構成は、どの電圧供給ライン信号が前記電流源トランジスタに供給するために用いられるかを選択するために提供される、ことを特徴とするＥＬ表示装置。  
【請求項９】
請求項８に記載のＥＬ表示装置であって、モードスイッチング構成は画素の群のために提供される、ことを特徴とするＥＬ表示装置。
【請求項１０】
請求項９に記載のＥＬ表示装置であって、大野のノ電圧供給ラインはそれぞれの結合トランジスタを介して前記電流源トランジスタに結合され、前記モードスイッチング構成は、第１結合トランジスタのスイッチをオンにし且つ第２結合トランジスタのスイッチをオフにするために第１出力を選択的に供給し、または、前記第１結合トランジスタをオフにし且つ前記第２結合トランジスタをオンにするために第２出力を選択的に供給する、ことを特徴とするＥＬ表示装置。
【請求項１１】
請求項１乃至１０のいずれかに記載のＥＬ表示装置であって、各々のＥＬ表示阻止は高分子発光ダイオードを有する、ことを特徴とするＥＬ表示装置。
【請求項１２】
請求項１乃至１１のいずれかに記載のＥＬ表示装置であって、前記画素は行列状に配列され、前記データ信号は列導体に供給される、ことを特徴とするＥＬ表示装置。
【請求項１３】
請求項１２に記載のＥＬ表示装置であって、画素の各々の行は行導体を共有し、各々の画素は前記列導体と前記電流源部との間に結合される、ことを特徴とするＥＬ表示装置。
【請求項１４】
請求項１乃至１３のいずれかに記載のＥＬ表示装置であって、モードがアドレスされる画素のために選択されることを可能にするように前記モード選択を適用するための手段をさらに有する、ことを特徴とするＥＬ表示装置。
【請求項１５】
請求項１４に記載のＥＬ表示装置であって、前記表示の領域のための前記画像における前記動き量の測定に基づき、モード選択信号を適用するための前記手段は前記表示の領域に信号を適用する、ことを特徴とするＥＬ表示装置。
【請求項１６】
請求項１乃至１５のいずれかに記載のＥＬ表示装置を有することを特徴とする可搬型電子装置。
【請求項１７】
画素のアレイを有するエレクトロルミネセンス（ＥＬ）表示装置を駆動する方法であって、各々の画素はエレクトロルミネセンス（ＥＬ）表示素子と駆動回路とを有する、方法であり、ＥＬ表示の各々の画素に対して：
アナログ駆動モードまたはデジタル駆動モードを選択する段階；
前記アナログモードが選択されたとき、前記画素にデータ信号を供給する段階であって、それ故、前記ＥＬ表示素子に供給されるアナログ電流をもたらす、段階；
前記デジタルモードが選択されたとき、前記画素にデータ信号を供給する段階であって、それ故、２つの状態の１つに前記ＥＬ表示素子を駆動する、段階；
を有することを特徴とする方法。
【請求項１８】
請求項１７に記載の方法であって、前記駆動回路は前記ＥＬ表示素子に電流を供給するための電流源部を有し、第１モードにおいて、第１電流を用いて前記電流源部が供給され、第２モードにおいて、第２電流を用いて前記電流源部が供給される、ことを特徴とする方法。
【請求項１９】
請求項１７または１８に記載の方法であって、前記アナログ駆動モードまたは前記デジタル駆動モードは、いずれのフレーム周期において前記表示の全ての画素に対して選択される、ことを特徴とする方法。
【請求項２０】
請求項１９に記載の方法であって、前記駆動モードは、前記表示の要求に依存して選択される、ことを特徴とする方法。
【請求項２１】
請求項１９に記載の方法であって、前記デジタル駆動モードは静止画像の前記表示のために選択され、前記アナログ駆動モードは動画像の前記表示のために選択される、ことを特徴とする方法。
【請求項２２】
請求項１７または１８に記載の方法であって、フレーム周期において、前記デジタル駆動モードと前記アナログ駆動モードは、前記表示の異なる領域に対して独立して選択されることが可能である、ことを特徴とする方法。
【請求項２３】
請求項２２に記載の方法であって、前記表示の各々の領域に対する前記駆動は、前記領域における前の画層の動きの量に依存して選択される、ことを特徴とする方法。
【請求項２４】
請求項２３に記載の方法であって、前記前の画像の動きの量はＭＰＥＧデータからもたらされる、ことを特徴とする方法。
【発明の詳細な説明】
【技術分野】
【０００１】
本発明は、例えば、高分子ＬＥＤのような有機ＬＥＤ装置を用いるエレクトロルミネッセンス表示装置に関する。
【背景技術】
【０００２】
エレクトロルミネッセンス発光装置を用いるマトリクス型表示装置は良く知られている。その表示素子は、例えば、高分子材料を用いる有機薄膜エレクトロルミネセンス素子、あるいは、従来のＩＩＩ−Ｖ族半導体化合物を用いる発光ダイオード（ＬＥＤ）を有することが可能である。有機エレクトロルミネセンス材料、特に高分子材料における近年の研究は、映像表示装置に対して実際に使用される能力を示してきた。代表的には、それらの材料は、一対の電極間に挟まれた半導体共役系高分子の１層またはそれ以上の数の層を有し、それら電極の一方は透明であり、他方は高分子層にホールまたは電子を注入するために適する材料から成る。
【０００３】
高分子材料層は、ＣＶＤプロセスを用いて形成することができ、または可溶性共役高分子の溶液を用いるスピンコーティング技術により簡単に形成することができる。有機エレクトロルミネセンス材料は、ダイオードのようなＩ−Ｖ族半導体材料の特性を示し、それ故、それら材料は表示機能およびスイッチング機能に両方を提供することができ、受動型表示装置において用いられることができる。また、それらの材料はアクティブマトリクス表示装置のために用いることが可能であり、各々の画素は表示素子を流れる電流を制御するためのスイッチング素子と表示素子とを有する。
【０００４】
この種類の表示装置は電流アドレス型表示素子を有し、それ故、従来のアナログ駆動スキームは表示素子に制御可能な電流を供給する。電流源トランジスタを画素構成の一部として備えることが知られており、このとき、電流源トランジスタに供給されるゲート電圧は表示素子を流れる電流を決定する。保持容量はアドレスフェーズの後、ゲート電圧を維持する。しかしながら、基板に亘る異なるトランジスタの特性は、ゲート電圧とソース−ドレイン間電流との間の異なる関係、および結果として得られる表示画像におけるアーチファクトをもたらす。
【０００５】
デジタル駆動スキームがまた、提案されてきた。そのようなスキームにおいては、ＬＥＤ装置が２つの有効な電圧レベルに対して降下的に駆動される。これは、トランジスタが電流源としてもはや線形領域で動作する必要がないため、画素電流における電力消費を減少させる。その代わりに、全てのトランジスタは完全なオンまたは完全なオフにすることができ、このことは電力消費を低減させる。そのような駆動スキームは、同様の理由で、トランジスタ特有の変動に対してあまり敏感ではない。この方法のみが２つの有効な画素出力を与える。しかしながら、階調画素出力は多くの方法により達成されることができる。
【０００６】
１つの方法においては、画素はより大きい画素を形成するために群化されることができる。群内の画素は独立してアドレスされることができ、それ故、生成された階調は、アクティブにされる群内の多くの画素の関数である。この方法の欠点は、表示の解像度が減少し、画素の複雑さが増加することである。
【０００７】
他の方法においては、画素はフレームレートより速くオンおよびオフにされることができ、それ故、階調は、画素がオンにされるデューティサイクルの関数として実行される。これは、必要とされる駆動能力を増加させ、それ故、表示装置のコストを増加させる。
【０００８】
デジタル駆動スキームは、本質的に、駆動スキームに基づく電圧であるため、画素出力はＬＥＤ装置における非均一性に対して特に感度を有する。特に、劣化した画素の電流（従って、光出力）は固定された電圧駆動スキームにおいて急速に減少するため、装置の劣化は画像の焼き付きをもたらす。画素の一部が発光していない（所謂、ブレックスポットの）場合、電流密度が減少するため、一定の電圧駆動スキームはまた、その画素の暗くなった出力をもたらす。電流駆動される画素においては、画素からの総光出力がブラックスポットに殆ど依存しないように、一定電流は電流密度の増加をもたらす。
【発明の開示】
【課題を解決するための手段】
【０００９】
本発明の第１の特徴に従って、表示画素のアレイを有するエレクトロルミネセンス（ＥＬ）表示装置であって、各々の表示画素はＥＬ表示素子と駆動回路を有する、表示装置であり、各々の画素は第１モードおよび第２モードにおいて動作可能であり、第１モードにおいて、画素に供給されるデータ信号に依存して駆動回路によりＥＬ表示素子にアナログ電流が供給され、第２モードにおいて、画素に供給されるデータ信号に依存して駆動回路によりＥＬ表示素子を横断して２つのうちの１つの電圧が加えられる。
【００１０】
このような画素構成は、画素がデジタル駆動モードまたはアナログ駆動モードにおいて動作されることを可能にする。これは、表示装置がデジタル駆動スキームを実行する低電力のスタンバイモード（第２モード）をもつことを可能にする。これは、静止画像であって、好適には、階調を伴わない画像に対して、特に適する。第１モードは標準的な電流アドレシングモードである。
駆動回路はＥＬ表示素子に電流を供給するために電流源部を有することが可能であり、第１モードにおいて、電流源部は第１電圧を供給され且つＥＬ表示素子にアナログ電流を供給し、第２モードにおいて、電流源部は第２電圧を供給され且つ２つの状態の１つにおいてＥＬ表示素子を駆動する
電流源画素部は、それ故、ＥＬが素に駆動信号を供給するために使用されるが、動作の異なるモードにおいて、電流源部は異なって動作される。
【００１１】
各々の駆動回路の電流源部は、供給電圧ラインとＥＬ素子との間に接続されるトランジスタを有することが可能であり、トランジスタのゲート電圧はデータ信号に依存して制御される。これは、従来のアナログ駆動スキームが実行されることを可能にする。
【００１２】
第１電圧は、動作の第１モードにおける供給電圧ラインにより供給されることが可能であり、第２電圧は、動作の第２モードにおいて供給電圧ラインにより供給されることが可能である。第１モードにおいては、電流源トランジスタにおける比較的大きい電圧降下があり、大きい供給電圧が必要とされる。第２モードにおいては、トランジスタにおいてより小さい電圧降下があり、それ故、より小さい供給電圧が適切である。
【００１３】
それ故、第１電圧および第１モードにおけるデータ信号の水準の範囲は、トランジスタが線形領域において操作可能であるように選択され、それ故、電流源により供給される電流はデータ信号の関数である。第２電圧および第２モードにおけるデータ信号の水準は、
トランジスタが完全にオンにされまたは完全にオフにされるように選択され、それ故、第２電圧に依存して固定電圧がＥＬ素子に供給されまたはＥＬ素子から分離される。
【００１４】
好適には、各々の画素は１つの電圧供給ラインを有し、スイッチング手段は電圧供給ラインにおける電圧を選択するために備えられる。これは、供給ラインに加えられる電圧を制御するための回路を必要とする。
【００１５】
また、各々の画素は２つの電圧供給ラインを有することが可能であり、モードスイッチング構成は、どの電圧供給ラインを電流源トランジスタに供給するために用いるかを選択するために備えられる。このモードスイッチング構成は、画素の群のために備えられることができる。
【００１６】
本発明の装置は、モードがアドレスされる画素のために選択されることを可能にするモード選択を適用するための手段をさらに有することが可能である。この手段は、表示の領域のための画像内の動き量の測定に基づいて、表示領域に信号を適用することが可能である。
【００１７】
この表示は、携帯電話のような携帯型電子装置において用いられることが可能である。
【００１８】
本発明はまた、画素のアレイを有するエレクトロルミネセンス(ＥＬ)表示装置を駆動する方法であって、表示の各々の画素のために、各々の画素はエレクトロルミネセンス（ＥＬ）表示素子と駆動回路を有する、方法であり：
アナログまたはデジタル駆動モードを選択する段階；
アナログモードが選択されるとき、画素にデータ信号を供給する段階であって、これにより、ＥＬ表示素子に供給されるアナログ電流が生じる、段階；並びに
デジタルモードを選択するとき、画素にデータ信号を供給する段階であって、これにより、２つの状態の１つにおいてＥＬ表示素子を駆動する、段階；
を有する。
【００１９】
駆動回路は、ＥＬ表示素子に電流を供給するための電流源部を有し、第１モードにおいて、第１電圧を用いて電流源部が供給され、第２モードにおいて、第２電圧を用いて画素の電流源部が供給される。
【００２０】
表示の全ての画素は、いずれのフレーム周期において１つのモードの状態にあり、または、表示は複数の領域に分割されることが可能である。デジタル駆動モードは静止画像の表示のために選択されることが可能であり、アナログ駆動モードは動画像の表示のために選択されることが可能である。
【００２１】
本発明に従った表示装置の実施形態について、添付図面を参照して、例証として以下に説明する。
【発明を実施するための最良の形態】
【００２２】
図１を参照するに、アクティブマトリクス・アドレス・エレクトロルミネセンス表示装置は、ブロック１により表され且つアドレススイッチング手段と共にエレクトロルミネセンス表示素子２を有し、行（選択）列（データ）アドレス導体４および６の交差点のインターセクションに位置される、一定間隔を置く画素、の行列マトリクスアレイを有する。簡単化のために、図１においては、幾らかの画素のみを示している。実際には、数百の画素の行および列が存在することが可能である。画素１は、それぞれ導体の集合の端部に接続される、走査のための行の駆動回路８と、データのための列の駆動回路９とを有する周辺駆動回路により、行および列のアドレス導体の集合を介してアドレスされる。
【００２３】
エレクトロルミネセンス表示素子２は、ここではダイオード素子（ＬＥＤ）として表され、１層またはそれ以上の数の層の有機エレクトロルミネセンス材料の活性層が間に挟まれる一対の電極を有する、有機発光ダイオードを有する。アレイにおける表示素子は、絶縁基板の一方側に、関連するアクティブマトリクス回路と共に支持される。表示素子の陰極または陽極は透明導電材料を用いて形成される。基板はガラスのような透明材料から成り、基板に最も近い表示素子２の電極は透明導電材料から成り、それ故、基板の他の側から観測者が見ることができるように、エレクトロルミネセンス層により生成される光は電極および基板を透過する。代表的には、有機エレクトロルミセセンス材料層の厚さは１００ｎｍ乃至２００ｎｍの範囲内である。エレクトロルミネセンス表示素子２のために使用することができる、適切な有機エレクトロルミネセンス材料の代表的な例は、周知であり、欧州特許第０７１７４４６号明細書に説明されている。国際公開第９６／３６９５９号パンフレットに説明されているような共役高分子材料はまた、用いられることができる。
【００２４】
図２は、本発明の第１の例の画素および駆動回路の様子を模式的に且つ簡単化して示している。各々の画素１は、ＥＬ表示素子２と関連する駆動回路とを有する。その駆動回路は、行の導体における行のアドレスパルスによりオンにされるアドレストランジスタ１６を有する。アドレストランジスタ１６がオンにされるとき、列の導体６の電圧は残りの画素に加えることができる。特に、アドレストランジスタ１６は、駆動トランジスタ２２と保持容量２４を有する電流源２０に列の導体電圧を供給する。列の電圧は駆動トランジスタ２２のゲートに供給され、行のアドレスパルスが終了した後に保持容量２４によりゲートはこの電圧に保たれる。
【００２５】
本発明に従って、この画素構成は第１モードおよび第２モードにおいて動作可能である。
【００２６】
第１のアナログモードにおいて、電流源２０に供給する電力レール２６における電圧と結合した駆動トランジスタ２２におけるゲート電圧の範囲は、トランジスタが線形領域で動作するように選択され、それ故、ソース−ドレイン間電流はゲート電圧に対して略線形の状態で比例する。従って、列の導体６における電圧は、表示素子２への所望の電流を選択するために用いられる。このモードにおいて、代表的には、駆動トランジスタ２２のソース−ドレイン間で約６Ｖ降下し、その結果、電力レール２６における電圧は、約４ＶのＬＥＤにおける必要とされる電圧降下が達成されるように（図に示すように、陰極は接地されている）、約１０Ｖであることが要求される。代表的なデート電圧は、約４Ｖの保持容量２４における蓄積電圧を伴って範囲に入る。例えば、列の導体におけるデータ信号は、５乃至７Ｖの範囲内に納まることが可能である。
【００２７】
第２のデジタルモードにおいては、電流源２０に供給する電力レール２６における電圧と結合する駆動トランジスタ２２における有効なゲート電圧は、トランジスタが完全にオンまたはオフになるように、選択される。トランジスタが完全にオンにされるとき、駆動トランジスタ２２において殆ど電圧降下はなく、供給レール２６における電圧は表示素子２に効率的に供給される。列の導体６における電圧は、表示素子２に対して２つの有効な駆動電圧の１つを選択するために用いられる。このモードにおいて、電力レール２６における電圧は約４Ｖであることが要求され、例えば、コンデンサにおいて０Ｖまたは１０Ｖのどちらかのゲート電圧を選択することにより、駆動トランジスタは完全にオンまたは完全にオフになるためにアドレスされる。
【００２８】
図３は、上記の動作を得るために、周辺回路の１つの可能な実施形態を示している。
【００２９】
電力レール２６が２つの可能な電圧を供給されることが可能であるように、第１電力供給部３０と第２電力供給部３２が備えられ、選択されるモードに依存して関連するスイッチ３０ａ、３２ａを介して電力レールに１つが結合される。駆動回路３３は電力レールを駆動する。モード選択装置３４は、どのモードが選択されるかを命令する出力部３６を備え、この出力部３６はスイッチ３０ａ、３２ａを制御する。２つの分離した電源３０、３２を用いることにより、電力消費を最小化することができる。
【００３０】
データ信号は、調節回路４０により列導体６に供給される。アナログモードにおいては、調節回路は、列６にデータ入力部４１を単純に結合している。デジタルモードにおいては、異なるゲート電圧が駆動トランジスタ２２のゲートにおいて必要とされ、このことは、データ信号のスケーリングであって、例えば、図に示すように、直列の電圧源を用いて、６Ｖだけ電圧を降下させることにより、達成されることが可能である。モード選択出力部３６は、電圧スケーリングが適用されるか否かを決定する。それ故、供給されたデータ信号は、同じ列ドライバが用いられることができるように、アナログスキームについて、同じ値の範囲内に入ることができる。しかしながら、ただ２つの有効なデータ信号値のみが与えられ、１つは駆動トランジスタを完全にオンにし、１つはそれを完全にオフにする。
【００３１】
デジタルモードにおける列電圧に対する変化を考慮して、保持容量２４への変化の経路を十分速く可能にするようにアドレストランジスタ１６をオンにするために異なる電圧が必要とされる。この理由のために、デジタルモードに対して、行アドレス回路８と行導体４との間で直列電圧源４がスイッチングされる。また、これは、モード選択出力３６の制御下にある。
【００３２】
本発明は、表示において低電力スタンバイモードと高品質アナログモードとを有することが可能である。デジタルモードは、特に、静止画像であって、好適には、２つの階調値をもつ画像に適切である。スタンバイの間にデジタルモードを用いることにより、携帯電話のような可搬型の充電器により動作する装置のために特に重要である、著しい全体的な電力節約をもたらす。アナログモードは完全な階調特性を提供し、ブラックスポットのアーチファクトに対してあまり敏感ではない。さらに、デジタルモード（アドレス画素が劣化することにより、画素の光出力特性が変化する）で表れるいずれのバーンインは、アナログ電流−アドレスモードにおいてはあまりみられない。
【００３３】
本発明の最も簡単な実施形態は、時間比アドレッシングまたは上記のようなサブピクセレーションのようないずれの従来の技術を用いて、デジタルモードにおいて画素の２つの水準のみの階調アドレッシングを可能にすることである一方、デジタルモードにおいて複数の階調性能を提供することが同様に可能である。頻度の高い更新はスタンバイモードにおいて必要とされる傾向になく、それ故、時間比方法は容易に実施されることが可能である。
【００３４】
２レベルスキームにおいてデジタルモードが動作するとき、アドレスされた全ての画素のバーンインは同じになる。スタンバイモードに対して同じ画像が常に必要とされる場合、これは、同等のバーンイン劣化を受ける既知の画素の群を生じる。この同じ画像自身は、例えば、それらの画素がアナログモードにおいてオーバードライブされる、アナログ駆動モードにおいて補償スキームに適合する。必要とされるオーバードライビングの度合いは、スタンバイ時間から推定されることが可能であり、または、この目的のために特に提供される付加的なテスト画素の画素電圧水準をモニタリングすることにより評価されることが可能である。
【００３５】
図３の例においては、各々の画素は１つの電圧供給ラインを有し、所望の電圧が２つの電圧源の１つからの電圧源ラインに対してスイッチをオンにされる。図４は、各々の画素が２つの電圧源ラインを有する他の構成を示し、モードスイッチング構成は、どの電圧供給ライン信号が電流源トランジスタに供給するために用いられるかを選択するために供給される。図４はまた、モード間のスイッチングが画像の動きに基づいているシステムを説明するために用いられる。
【００３６】
図４においては、各々の画素に供給する２つの分離した電力レール２６ａ、２６ｂがある。また、各々の画素１は、データ信号が導体６（この例では、行方向に伸びている）に供給されるアドレストランジスタ１６を有し、このデータ信号はアドレストランジスタ１６により駆動トランジスタ２２のゲートに結合されている。第１電力レール２６ａは保持容量２４に結合され、スイッチングトランジスタ５０を介して駆動トランジスタ２２に接続されている。スイッチングトランジスタ５０がオンにされるとき、画素は図２および３における画素と同じ方式で動作し、このことはアナログモードの操作を提供する。従って、第１電力レール２６ａは、必要とされるアナログ伝ある水準であって、例えば１０Ｖを有している。
【００３７】
第２電力レール２６ｂは、第２スイッチングトランジスタ５２を介して駆動トランジスタ２２に結合されている。必要なデジタル供給電圧は、第２電力レール２６ｂにおいて、例えば４Ｖを供給される。
【００３８】
第１スイッチングトランジスタ５０および第２スイッチングトランジスタ５２は、１つのモード選択信号５４により制御され、それらのトランジスタ５０、５２は、同時に１つがオンにされ且つ他方がオフにされるように、反対のタイプである。従って、モード選択ライン５４は、どちらの電力レール２６ａ、２６ｂが画素１に供給するべきか、を決定し、これにより、動作のモードを決定する。
【００３９】
モード選択信号５４はスイッチングブロック５６により供給され、このスイッチングブロック５６は画素群に対してモード選択信号５４を供給する。
【００４０】
図４の例においては、アドレシング信号は列導体５８に供給されるように示されているが、これらはまた、画素内のアドレシングトランジスタ１６に適切なゲート電圧を供給するためのものでもある。さらに、スイッチングブロック５６はアドレシングライン６０を有し、これは、導体６（映像データライン）からの信号がスイッチングブロック５６に供給されることを可能にする。２種類の有効な信号が、電流源トランジスタ６２における異なるゲート電圧を生じさせるスイッチングブロック５６に供給される。スイッチングブロック５６からの２種類の有効な出力信号は、一方または他方の電力レール２６ａ、２６ｂが選択されるようにする。スイッチングブロック５６の構造は画素の構造に似ており、スイッチングトランジスタ５０，５２をスイッチングスルために用いられることができる２つの有効な出力を簡単に供給するために用いられる。
【００４１】
図３に関連させて説明したように、デジタルモードにおいては、映像データライン６はオンまたはオフのデジタル電圧を供給するために用いられ、アナログモードにおいては、映像ライン６はアナログ輝度信号を供給する。
【００４２】
図４に示す例においては、信号スイッチングブロック５６は２つの画素に関連している。実際に、表示は、独立したブロックとして制御されることができるいずれの数の関連する画素群に分割されることが可能である。それ故、デジタルモードとアナログモードとの間で、全体的な表示に亘って簡単にスイッチングするというよりも、スクリーンは複数の領域に分割され、各々の領域内の画像の動き量は、各々の領域のための最も適切な駆動スキームを決定するために用いられることができる。
【００４３】
ＭＰＥＧシステムは画像をブロックに分割し、ブロック内の動き量を決定する構造を有する。この情報は、スクリーンの領域がデジタルモードで駆動される必要があるかアナログモードで駆動される必要があるかを決定するために用いられることができる。図４の回路は、各々の画素のブロックがその電力ラインを用いるべきかを選択することを可能にするが、これは、勿論、図３の回路を用いることは可能ではない。
【００４４】
代替として、フレーム周期を２つの半分に分割する。それ故、これは、１つの電力供給ラインが図３におけるように用いられることを可能にし、動作モードが異なる表示領域に対して独立して選択されることをさらに可能にする。フレーム周期の第１の半分の間に、電力レールはデジタル状態に設定され、選択された画素はアドレスされる。フレーム周期の第２の半分の間に、電力レールはアナログ状態に設定され、このとき、残りの画素がアドレスされる。
【００４５】
上記のように、本発明は、低電力表示に対して特に適し、図５は、本発明の表示７２を組み込んだ携帯電話７０を示している。
【００４６】
上記の画素回路は、電流源がＬＥＤ素子に可変電流を供給するためにデータ信号により制御される有効な画素構造の単なる例である。他の有効な画素構成は当業者には周知であり、本発明はそのような多くの異なる構成において優位性を提供することができる。
【００４７】
本発明の開示内容を読むことにより、他の修正が可能であることは当業者に理解されるであろう。そのような修正は、マトリクスエレクトロルミネセンス表示装置およびその構成部品の分野で既に周知である他の特徴を有することが可能であり、すでにここで説明した特徴に付加してまたはその代わりに用いられることが可能である。
【００４８】
デジタルモードは、電力消費を減少させることにおいて優位性を有するとして説明した。他の手段は、例えば、表示を暗くするために、または、スタンバイに対してパルスモードで動作させるために付加的に用いられることが可能である。これらの方法はデジタル駆動スキームを補うことが可能である。
【図面の簡単な説明】
【００４９】
【図１】本発明に従ったＥＬ表示装置を示す図である。
【図２】ＥＬ表示画素を電流アドレシングするための画素回路の簡単化された模式図である。
【図３】本発明に従った画素回路および関連する駆動回路の第１の例を示す図である。
【図４】本発明に従った画素回路および関連する駆動回路の第２の例を示す図である。
【図５】本発明の表示を用いた可搬型装置を示す図である。
【図１】
2005510768.tif 000003
【図２】
2005510768.tif 000004
【図３】
2005510768.tif 000005
【図４】
2005510768.tif 000006
【図５】
2005510768.tif 000007
【国際調査報告】
2005510768.tif 000008
2005510768.tif 000009